(57)【要約】【課題】盛替え作業や解体作業が容易で、汎用性や盛替えコストにおいても有利な建枠の盛替工法を提供する。【解決手段】平べース２１を壁面１ａに固定する工程と、傾斜ベース３１をビル１の壁面１ａに固定する工程と、平ベース２１に梁用単管パイプ２０を設ける工程と、傾斜ベース３１に補強梁用単管パイプ３０を設ける工程と、梁用単管パイプ２０と補強梁用単管パイプ３０とを相互に連結する工程と、建枠１０ｂを梁用単管パイプ２０に連結する工程と、梁用単管パイプ２０より下方の建枠１０ｄを解体する工程と、を有する。梁部材より下方の建枠を解体しても、梁部材より上方の建枠は建築躯体の壁面に残されるので、盛替えを要する高さに梁部材及び補強梁部材を仮設し、梁部材に建枠を連結する作業で建枠を盛替えることができる。【選択図】  図２
2006266006.tif 000002
【特許請求の範囲】
【請求項１】
建築躯体の壁面に建枠が設置された施工現場の建枠の盛替工法であって、
建枠を支える梁部材を前記壁面に設けるため、前記梁部材を支持する梁用支持部材を前記壁面に固定する工程と、
前記梁部材と交差するように補強梁部材を斜め方向に設けるため、前記補強梁部材を支持する補強梁用支持部材を前記壁面に固定する工程と、
前記梁用支持部材に前記梁部材を取り付ける工程と、
前記補強梁用支持部材に前記補強梁部材を取り付ける工程と、
前記梁部材と前記補強梁部材とを交差部で相互に連結する工程と、
前記建枠を前記梁部材に連結する工程と、
前記梁部材よりも下方にある建枠を解体する工程と、
を有することを特徴とする建枠の盛替工法。
【請求項２】
前記梁用支持部材を前記壁面に固定する工程では、複数の梁用支持部材を前記壁面の局所に固定し、前記梁用支持部材に前記梁部材を取り付ける工程では、前記梁用支持部材のそれぞれに前記梁部材を取り付け、前記補強梁用支持部材を前記壁面に固定する工程では、複数の補強梁用支持部材を前記壁面の局所に固定し、前記補強梁用支持部材に前記補強梁部材を取り付ける工程では、前記補強梁用支持部材のそれぞれに前記補強梁部材を取り付け、前記建枠を前記梁部材に連結する工程では、前記複数の梁部材のそれぞれに前記建枠を連結することを特徴とする請求項１に記載の建枠の盛替工法。
【発明の詳細な説明】
【技術分野】
【０００１】
本発明は、建枠の施工技術に関し、より詳細には、施工現場において建枠を嵩上げする建枠の盛替工法に関する。
【背景技術】
【０００２】
この種の技術として、例えば、特許文献１に示す施工方法が知られている。
この工法によれば、二本の鉛直フレーム、該鉛直フレームの上下端とにそれぞれ設けられた上部水平フレーム、及び下部水平フレームから成る構造フレームと、この構造フレームに一体的に取付けられた枠組足場と、上記構造フレームと上記枠組足場から成る足場ユニットを吊上げるウインチと、から構成されているものがある。
【０００３】
より詳しくは、構造フレーム及び枠組足場から成る足場ユニットを建築躯体の外壁面に沿って組上げ、枠組足場の盛替えを行う場合には、建築躯体の上部に設けたウインチで構造フレームと一体に枠組足場を吊上げて、所望の高さに枠組足場を保持する。つまり、枠組足場を構造フレームに取付け、構造フレームを吊上げることで、枠組足場の盛替えを行っている。
【特許文献１】特開２００４−２６３４８０号公報
【発明の開示】
【発明が解決しようとする課題】
【０００４】
ところで、上述の工法によれば、枠組足場と一体の構造フレームをウインチで吊上げて枠組足場を盛替えるため、構造フレームやウインチ等の大掛りな装置が必要になる。また、施工現場や盛替えの高さに併せて、その都度、構造フレームの高さやウインチの仕様を変更する必要があり、盛替えに要する部材のコストや汎用性において改善の余地がある。
【０００５】
また、上述の工法では、複数の枠組足場を支える大型の構造フレームを有し、その解体時には、構造フレームを一旦地上に降ろして作業を行う。そのため、既に着工している施工現場の直下において新たな建築物を増築する場合には、構造フレームの解体スペースが確保できず、一方の施工を終えてから初めて他方の施工に移ることになる。この状況では大幅に工期が延びることも考えられる。
【０００６】
本発明は、このような技術的背景に鑑みてされたもので、盛替え作業や解体作業が容易で、また、汎用性や盛替えに要するコストにおいても有利な建枠の盛替工法を提供することを課題とする。
【課題を解決するための手段】
【０００７】
上記した課題を解決するため本発明では以下の工法とした。
建築躯体の壁面に建枠が設置された施工現場の建枠の盛替工法であって、
建枠を支える梁部材を前記壁面に設けるため、前記梁部材を支持する梁用支持部材を前記壁面に固定する工程と、
前記梁部材と交差するように補強梁部材を斜め方向に設けるため、前記補強梁部材を支持する補強梁用支持部材を前記壁面に固定する工程と、
前記梁用支持部材に前記梁部材を取り付ける工程と、
前記補強梁用支持部材に前記補強梁部材を取り付ける工程と、
前記梁部材と前記補強梁部材とを交差部で相互に連結する工程と、
前記建枠を前記梁部材に連結する工程と、
前記梁部材よりも下方にある建枠を解体する工程と、
を有することを特徴とする。
【０００８】
この施工方法によれば、建築躯体の壁面に梁用支持部材及び補強梁用支持部材を固定し、これら支持部材に梁部材及び補強梁部材を取付ける。そして、梁部材と補強梁部材とを相互に連結した後、建枠を梁部材に連結する。よって、梁部材より下方（下段）の建枠を解体しても、梁部材より上方の建枠は、梁部材に支持されて建築躯体の壁面に取り残される。このように本施工方法によれば、盛替えを要する高さに梁部材及び補強梁部材を仮設して、これら梁部材に建枠を連結する簡単な作業で建枠を盛替えることができる。
【０００９】
また、前記梁用支持部材を前記壁面に固定する工程では、複数の梁用支持部材を前記壁面の局所に固定し、前記梁用支持部材に前記梁部材を取り付ける工程では、前記梁用支持部材のそれぞれに前記梁部材を取り付けるようにしてもよい。
さらに、前記補強梁用支持部材を前記壁面に固定する工程では、複数の補強梁用支持部材を前記壁面の局所に固定し、前記補強梁用支持部材に前記補強梁部材を取り付ける工程では、前記補強梁用支持部材のそれぞれに前記補強梁部材を取り付け、前記建枠を前記梁部材に連結する工程では、前記複数の梁部材のそれぞれに前記建枠を連結するようにしてもよい。
【００１０】
このようにすれば、建枠を複数の梁部材で支えることができるため、建枠を一層強固に支持することができる。なお、上記で局所とは、壁面において建枠と梁部材の連結箇所に複数の梁部材を集約して配置し得る範囲である。
【００１１】
なお、本施工方法の作業手順は、本発明の課題や技術的思想を逸脱しない範囲において変更可能である。
【発明の効果】
【００１２】
本発明によれば、盛替え作業や解体作業が容易であり、また、汎用性や盛替えに要するコストにおいても利点が得られる建枠の盛替工法を提供できる。これによって工期の短縮や施工コストの削減も図ることができる。
【発明を実施するための最良の形態】
【００１３】
本発明に係る盛替工法の説明に先立ち、ビルの建設現場に設置された建枠の構造について説明する。
ビル（建築躯体）１の施工現場では、図６に示すように、その壁面１ａに沿って複数の建枠１０（ビティ材）が多段に組上げられている。また、建枠１０には、作業員の足場となる鋼製布板（道板）６１（図２）や階段６２が設けられ、作業員は、この鋼製布板６１や階段６２を通って、ビル１の外側から高所の作業を行っている。なお、建枠１０は、外部足場及び枠組足場と称されることもある。
【００１４】
また、最下段に位置した建枠１０ａはジャッキベース６３を介して地面に接地し、さらに、建枠１０は、その各所に設けられた壁ツナギ部材６４によってビル１の壁面１ａに保持されている。この壁ツナギ部材６４は、単管パイプ２０が平ベース２１から外れることを防止するものである。また、建枠１０には伸縮ブラケット６５が設けられ、ビル１の壁面１ａと建枠１０の隙間は、伸縮ブラケット６５に張り渡された落下防止用のネット６６によって塞がれている。そして、建枠１０の全面をメッシュシート６７が覆っている。
【００１５】
続いて、本発明に係る建枠１０の盛替工法を説明する。
上述の建枠１０を盛替る際には、まず、建枠１０の奥行幅よりも長い梁用の単管パイプ２０（以下、梁用単管パイプと称する）と、この梁用単管パイプ２０よりも更に長い補強梁用の単管パイプ３０（補強梁用単管パイプと称する）と、建枠１０の幅方向に配置する
桁側連結用の単管パイプ４０と、を複数本用意する。また、これら単管パイプ２０、３０、４０を相互に締結するための自在型スーパークランプ５１及び直交クランプ５２、５３と、梁用単管パイプ２０及び補強梁用単管パイプ３０の端部をビル１の壁面１ａに固定するためのベース金物（３１、３２）とを用意する。
【００１６】
なお、前記「課題を解決するための手段」との関係では、梁用単管パイプ２０は梁部材に相当し、補強梁用単管パイプ３０が補強梁部材に相当する。
また、本施工方法で用いる単管パイプやクランプは、建築基準法に定められた規格品（汎用品）で足り、特殊な強度や寸法を有するものを用いずとも本施工方法は実現可能である。
【００１７】
ベース金物としては、梁用単管パイプ２０をビル１の壁面１ａに対して直角に配置するための平ベース２１と、補強梁用単管パイプ３０を梁用単管パイプ２０に対して斜めに配置した状態でこの補強梁用単管パイプ３０をビル１の壁面１ａに配置するための傾斜ベース３１とを用意する。
【００１８】
平ベース２１は、図４に示すようにアンカーボルトの挿通孔（図示せず）を複数箇所に有する基部２２と、この基部２２に対して直角となるように溶接された筒状部材２３とを有し、アンカーボルトを用いて基部２２をビル１の壁面１ａに固定する。さらに筒状部材２３に梁用単管パイプ２０の端部２０ａを差込むことで、ビル１の壁面１ａに対して梁用単管パイプ２０を水平に配置することができる。
【００１９】
一方、傾斜ベース３１は、図５に示すようにアンカーボルトの挿通孔（図示せず）を複数箇所に有する基部３２と、この基部３２に対して傾斜するように溶接された筒状部材３３とを有している。基部３２は、アンカーボルトを用いてビル１の壁面１ａに固定される。さらに筒状部材３３に補強梁用単管パイプ３０の端部３０ａを差込むことで、ビル１の壁面１ａに対して補強梁用単管パイプ３０を傾斜して配置することができる。
【００２０】
続いて、これらの部材を用いて建枠１０の盛替作業に移る。
まず、作業員は、既に設置されている建枠１０を蔦って建枠１０の盛替えを要する高さｈまで登る（図１参照）。そして、ビル１の壁面１ａにアンカーボルトを打込み、平ベース２１をビル１の壁面１ａに固定する。このとき、盛替えを要する高さｈに位置した建枠１０ｂは、ビル１の幅方向に複数設けられているため、作業員は、各建枠１０ｂの脚部１１に対応して、その脚部１１の近傍に平ベース２１をそれぞれ、壁面１ａに固定する。
【００２１】
また、本実施の形態では、図３に示すように、１つの脚部１１に対してその両側に１つずつ平ベース２１、２１を固定している。つまり、１本の脚部１１につき、計２本の梁用単管パイプ２０、２０を配置できるように、平ベース２１を２つ設けている。
【００２２】
続いて、傾斜ベース３１を固定する。傾斜ベース３１は、予め定めた寸法に従って各平ベース２１、２１の下方に固定する。なお、ここで予め定めた寸法とは、建枠１０の奥行等を加味して決定される数値である。より詳しくは、梁用単管パイプ２０と補強梁用単管パイプ３０とが、それぞれの先端付近で相互に交差するような寸法に設定される。
【００２３】
また、傾斜ベース３１も平ベース２１と同様にして、１つの脚部１１に対してその両側に１つずつ固定する。つまり、１本の脚部１１につき計２本の補強梁用単管パイプ３０を配置できるように傾斜ベース３１を２つ設けている。
なお、脚部１１の両側に位置した壁面１ａを、壁部の局所とみなすことができる。
【００２４】
これら平ベース２１及び傾斜ベース３１に、梁用単管パイプ２０及び補強梁用単管パイ
プ３０を組込み、両単管パイプ２０、３０の交点近傍に自在型スーパークランプ５１を設けて梁用単管パイプ２０と補強梁用単管パイプ３０とを相互に連結する。
【００２５】
桁側連結用の単管パイプ４０を各梁用単管パイプ２０間に通しで掛渡し、直交クランプ５２によって各梁用単管パイプ２０を桁側連結用単管パイプ４０に連結する。
【００２６】
このように本盛替工法の作業過程では、盛替えを要する高さｈに梁部材用の単管パイプ２０と、補強梁部材用の単管パイプ３０と、桁側連結用単管パイプ４０で組上げた仮設の土台部分が形成されることになる。
【００２７】
そして、直交クランプ５３を用いて梁用単管パイプ２０に建枠１０ｂの脚部１１を連結して固定する。なお、梁用単管パイプ２０は、上述の如く脚部１１の両側に延在しているため、本実施の形態では、図３に示すように脚部１カ所につき、２本の梁用単管パイプ２０がその両側に固定されることになる。
【００２８】
脚部１１の固定後、梁用単管パイプ２０の下方に位置した建枠１０ｃを、順次その上段から解体して撤去する。よって、ビル１の上層部には、盛替えされた建枠１０ｄのみが取り残される。
【００２９】
このように、本実施の形態に示す建枠１０の盛替工法では、先ず、盛替え後の建枠１０ｂを支える梁用単管パイプ２０をビル１の壁面１ａに取り付けるため、平ベース２１をビル１の壁面１ａに固定する。
次に、梁用単管パイプ２０に対して補強梁用単管パイプ３０を斜めに取り付けるめ、傾斜ベース３１をビル１の壁面１ａに固定する。また、平ベース２１に梁用単管パイプ２０を、傾斜ベース３１に補強梁用単管パイプ３０を、それぞれ取り付ける。そして、自在型スーパークランプ５１を用いて、梁用単管パイプ２０と補強梁用単管パイプ３０を交差部分において相互に連結し、建枠１０ｂの脚部１１を梁用単管パイプ２０に連結する。
最後に、梁用単管パイプ２０より下方の建枠１０ｃを解体して、盛替え作業を終える。
【００３０】
このように、本施工方法によれば、盛替えを要する任意の高さｈに、梁用単管パイプ２０及び補強梁用単管パイプ３０を仮設し、これら梁用単管パイプ２０に建枠１０ｂを固定するという比較的簡単な作業で、建枠１０を盛替えることができるため、建築躯体の上程施工に影響を与えることもない。
【００３１】
また、盛替え作業に用いる部材は、安価に製作可能なベース金物の他、汎用の単管パイプやクランプで足りるため、部材に要するコストも大幅に減らすことができる。また、各部材を市販のリース品で補えば、建枠１０の解体後、他の仮設材と共に返却することもできる。
【００３２】
また、本施工法によれば、建枠１０の盛替え後においても、作業者は、盛替えされた建枠１０ｄを通って、その最上段から順次解体撤去することができる。  
一方、盛替え後、その下方の建枠１０ｃについても、既設の建枠１０ａ（１０ｃ）を通り、その最上段から順次解体撤去することができる。よって、建枠１０（１０ｄ）の直下において新たな工事を同時に進行することもできる。
【００３３】
本施工方法によれば、仮設した梁用単管パイプ２０によって建枠１０を任意の場所で支えて盛替えるため、梁用単管パイプ２０の設置場所を設置数を変更するといった簡易な現場作業の変更によって、種々の現場に対応した建枠の盛替えが可能である。
【００３４】
このように本実施の形態によれば、建枠１０の盛替え作業や盛替え後の解体作業も容易
であり、また、汎用性及び部材コストにおいても利点が得られるため、結果として、工期の大幅な短縮、並びに施工コストの大幅な削減を図ることができる。
【００３５】
なお、上記した実施の形態はあくまでも本発明の一実施例であり、その詳細は、適宜変更可能である。
例えば、上記した実施の形態では、計３種類の単管パイプ２０、３０、４０を用いて盛替えを行ったが、梁用単管パイプ２０と補強梁用単管パイプ３０の２種類で建枠１０を支持することも可能である。また、上記した実施の形態では、脚部１１に対して梁用単管パイプ２０を２本配置しているが、その本数は各種仕様に併せて変更してもよい。
【００３６】
また、上記した実施の形態では、梁用単管パイプ２０の下方に補強梁用単管パイプ３０を設置したが、その上下関係を逆にして配置する、及び梁用単管パイプ２０と補強梁用単管パイプ３０の双方に建枠１０ｂの脚部１１を連結するなどの変更も考えられる。
【図面の簡単な説明】
【００３７】
【図１】本施工方法によって盛替えされた建枠をビルの妻側から見た図である。
【図２】図１の要部Ａを示す拡大図である。
【図３】図２に示す構造部をビルの桁側から見た概略構成図である。
【図４】本実施の形態に示す平ベースの側面図である。
【図５】本実施の形態に示す傾斜ベースの側面図である。
【図６】盛替え前の建枠をビルの妻側から見た図である。
【符号の説明】
【００３８】
１      ビル
１ａ    壁面
１０      建枠
１１      脚部
２０      梁用単管パイプ
２０ａ    梁用単管パイプの端部
２１      平ベース
２２      平ベースの基部
２３      筒状部材
３０      補強梁用単管パイプ
３０ａ    補強梁用単管パイプの端部
３１      傾斜ベース
３２      傾斜ベースの基部
３３      筒状部材
４０      桁側連結用の単管パイプ
５１      自在型スーパークランプ
５２      直交クランプ
５３      直交クランプ
６１      鋼製布板
６２      階段
６３      ジャッキベース
６４      壁ツナギ部材
６５      伸縮ブラケット
６６      落下防止用ネット
６７      メッシュシート
【図１】
2006266006.tif 000003
【図２】
2006266006.tif 000004
【図３】
2006266006.tif 000005
【図４】
2006266006.tif 000006
【図５】
2006266006.tif 000007
【図６】
2006266006.tif 000008